(57)【要約】      （修正有）【課題】しもやけやあかぎれの対策として、治療薬、ワセリン、ハンドクリームなどを治療対象の手の指に塗る場合に、前準備や指への巻き付けなどの取り扱いが簡単で、また、装着中の指の曲げ伸ばしも楽で、なおかつ、就寝中に寝具などを汚さず、長時間使用していても湿気がこもらない指保護フィルムを提供する。【解決手段】治療対象の指に巻き付け、指先で捻り止めすることにより、指に固定することができるエンボス加工２を施した形状保持性のある薄目付のポリエステル製フィルムで、使用するに適切なサイズの矩形に裁断してある形状保持性のある指保護フィルム１とする。【選択図】図１
0003220851.tif 000002
【実用新案登録請求の範囲】
【請求項１】
フィルムの全面にエンボス加工を施した厚さ１３μｍ〜２５μｍ、長さ４ｃｍ〜１４ｃｍ、幅７ｃｍ〜１６ｃｍの矩形の形状保持性のあるポリエステル製の指保護フィルム。
【考案の詳細な説明】
【技術分野】
【０００１】  本考案は、形状保持性のあるフィルムを、エンボス加工と裁断加工することにより、取り扱いに便利な指保護フィルムとする技術に関するものである。
【背景技術】
【０００２】  指先の荒れ、ひび、あかぎれ、湿疹などをケアする為に、クリーム状の薬や軟膏、保湿効果のある油を塗って寝ることが多いが、寝間着や寝具などが汚れないように救急絆創膏タイプの保護テープ、絹や綿のナイトグローブ、フィルム製の手袋を使用する場合が多い。また、食品ラップやポリ袋、指サックを代用品として使用する場合もある。【０００３】  保護テープの場合は、油や薬を塗った後の保護テープの取り出しや剥離紙の取り外しがむつかしい。指に張り付けるときには、油や薬がテープの粘着部分に付いてうまく接着しない場合がある。また、粘着力が強すぎて皮膚にしっかりと付いているため剥がしにくい場合が多い。
手袋タイプの場合は、手袋をするときに手袋自身に油や薬が付いて汚れ易いばかりか、油や薬が手袋から浸み出し寝具などを汚す場合や手からの放熱がうまくできず体温調節がしづらい場合がある。特にフィルム製の手袋やポリ袋を代用した場合は、手の汗が蒸発せず蒸れて、かえって症状が悪化する場合がある。
食品ラップを使用した場合は、フィルム自身が非常に柔軟で、かつ、接着性が非常に高いため、適切な大きさに切りにくく、指に巻きつけることがむつかしいばかりか、密着性が高く汗が蒸発しにくいので患部が蒸れて、かえって症状が悪化する場合もある。
指サックの場合は、装着する際に油や薬がはみ出る場合が多く、ゴム製の指サックの場合は、食品ラップと同様に、密着性が高く汗が蒸発しないので蒸れ易く、ネット製の指サックの場合は、布製の手袋と同様に、油や薬が浸み出す場合が多い。
【考案の概要】
【考案が解決しようとする課題】
【０００４】  本考案の課題は、ひびやあかぎれの防止や治療の為に油や薬を塗った手で簡単に取り扱いができるだけでなく、寝ている場合にも寝間着や寝具などを汚さず、また、処置した手の蒸れや熱のこもりを防止した快適性に優れた指保護フィルムを提供することにある。
【課題を解決するための手段】
【０００５】  本考案は、前述の手袋や指サックを使用することによる寝具の汚れや食品ラップを指のサイズに裁断し巻きつけるなどの操作がむつかしいこと、蒸れや熱のこもりが発生する場合があることに着目し、対象となる指だけを包むために、指に合う適切なサイズに裁断したフィルムを指に巻き付け捻り止めすることで、装着時の煩わしさや蒸れ、熱のこもりを防止可能な形状保持性のある指保護フィルムを得るに至った。
【考案の効果】
【０００６】  上記本考案の形状保持性のある指保護フィルムは、形状保持性のあるポリエステル製フィルムの全面にエンボスを施すことで、指に巻き付けた時の捻り止め特性を高めて、指に巻きつけて使用する適切なサイズに裁断したフィルムである。対象の指に巻きつけ、指からはみ出た部分を捻じることにより簡単に固定することできるだけでなく、接着剤を使用していないので、取り外す場合も、捻じり部をほどくことで簡単に外すことができ、皮膚への粘着剤の残りもない。
また、対象となる指にだけ巻き付けるため、手の熱のこもりによる睡眠の妨げを防止することができるだけでなく、当該フィルムは非常に薄いポリエステル製フィルムであるため、水蒸気の透過は良いが油の浸み出しを防止できる効果を有している。
【図面の簡単な説明】
【０００７】
【図１】図１は、本考案の適切に裁断した形状保持性のある指保護フィルムの模式図である。
【図２】図２は、本考案の形状保持性のある指保護フィルムを手の指に巻き付けている模式図である。
【図３】図３は、本考案の形状保持性のある指保護フィルムを指に巻き付け捻り止めした模式図である。
【図４】図４は、ポップアップ式容器に充填している本考案の形状保持性のある指保護フィルムの模式図である。
【考案を実施するための形態】
【０００８】  以下、更に添付図面を参照し、前述形状保持性のある指保護フィルムの具体的実施形態について説明する。
図１において、１は形状保持性のある指保護フィルムであり、２はエンボスである。
図２において、形状保持性のある指保護フィルム１を手の指に巻き付けている状態を示している。
図３において、形状保持性のある指保護フィルム１を手の指に巻き付け捻り止めして装着している状態を示し、３は結束部、４は捻り部である。
図４において、ポップアップ式容器５より形状保持性のある指保護フィルム１を取り出している状態を示す。
【実施例】
【０００９】  形状保持性のある指保護フィルム１は、厚さ１３μｍの形状保持性のあるポリエステル製フィルムの全面に深さ１３μｍのエンボス２が施され、後述の大きさの矩形に裁断したフィルムである。当該フィルムを重ねて箱詰めにしても良いが、図４に示すようなポップアップ式容器５に入れるとより使い勝手が良い。
形状保持性のある指保護フィルム１は、図２の様に指に巻き付け、図３の様に捻り部４を持って捻り、結束部３で捻り止めして使用する。
当該形状保持性のある指保護フィルム１は、高延伸された薄いポリエステル製フィルムであるため、水蒸気が透過しやすく蒸れにくく、油分が透過しないので寝具などを汚しにくい。
また、エンボス２により形状保持性能が高くなっており、エンボスのない場合に比べ、指に装着する結束部３での捻り止めがより確実にできる。【００１０】  形状保持性のある指保護フィルム１の大きさは、指の長さ方向となる長さは４ｃｍ〜１４ｃｍの範囲がよく、指の胴回り方向となる幅は７ｃｍ〜１６ｃｍの範囲がよい。指の長さ方向の長さが４ｃｍより短いと指に巻き付けたときに捻り部４の長さが短くなり捻り止めがむつかしく外れやすくなり、長さが１４ｃｍより長いと指に巻き付けたときに捻り部４の長さが長く捻り止めした後、邪魔になり形状保持性のある指保護フィルム１が外れやすくなる場合がある。また、指の胴回り方向の幅が７ｃｍより短いと指に巻き付けたときに指を完全に覆えない場合があり、幅が１６ｃｍより長いと指に巻き付けたときの重なる回数が多くなり、指の曲げ伸ばし動作に支障をきたす場合がある。
形状保持性のある指保護フィルム１の厚みは、１３μｍ〜２５μｍの範囲がよい。厚みが２５μｍより厚いと結束部３の捻り止めの確実性の低下や指を曲げ伸ばし動作に支障をきたす場合がある。
【産業上の利用可能性】
【００１１】  本考案の形状保持性のある指保護フィルム１は、全面にエンボス２が施されているために、ひびやあかぎれのケアとして対象の指に薬剤や油を塗布した後でも１枚ずつ簡単に取り出すことができ、かつ、最適な大きさの矩形で薄くて剛性が高く、形状保持性があるので対象の指への巻き付けの作業性や捻り止めによる装着性、指の曲げ伸ばしも楽にできる使用感に優れたひびやあかぎれのケアの必要な指用の保護フィルムとして非常に有用である。さらに、当該フィルムを通して油や薬が滲み出さないため、油や薬の効果の安定と持続や寝具、衣類の汚れの防止が期待できる。
【符号の説明】
【００１２】１  形状保持性のある指保護フィルム
２  エンボス
３  結束部
４  捻り部
５  ポップアップ式容器
【図１】
0003220851.tif 000003
【図２】
0003220851.tif 000004
【図３】
0003220851.tif 000005
【図４】
0003220851.tif 000006